(57)【要約】【課題】  ディスクの判別動作を正確に行うことが出来る光ディスク記録再生装置を提供する。【解決手段】  プリグルーブから得られる異なる周波数のウォブル信号を抽出するべくフィルター特性が変更可能なバンドパスフィルター回路１８を設け、該バンドパスフィルター回路１８のフィルター特性を第１記録用ディスクのウォブル信号を抽出する特性に設定し、前記バンドパスフィルター回路１８にて抽出されたウォブル信号の周波数が第１記録用ディスクの周波数であるとき、ウォブル信号より得られる同期用信号を利用して該ディスクを第１記録用ディスクとして線速度一定になるように回転駆動制御し、その回転駆動動作がロック状態になるか否かを判定することにより第１記録用ディスクか否かの判定を行う。【選択図】    図１
2005149672.tif 000002
【特許請求の範囲】
【請求項１】
再生専用ディスク、プリグルーブが異なる規格にて設けられている第１記録用ディスク及び第２記録用ディスクを使用することが出来るとともに各ディスクの規格に応じたトラッキングサーボ動作及び各ディスクから再生される同期用信号を利用してディスクを規定の線速度にて回転駆動制御する制御回路を備えた光ディスク記録再生装置において、プリグルーブから得られる異なる周波数のウォブル信号を抽出するべくフィルター特性が変更可能なバンドパスフィルター回路を設け、該バンドパスフィルター回路のフィルター特性を第１記録用ディスクのウォブル信号を抽出する特性に設定し、前記バンドパスフィルター回路にて抽出されたウォブル信号の周波数が第１記録用ディスクの周波数であるとき、ウォブル信号より得られる同期用信号を利用して該ディスクを第１記録用ディスクとして線速度一定になるように回転駆動制御し、その回転駆動動作がロック状態になるか否かを判定することにより第１記録用ディスクか否かの判定を行うようにしたことを特徴とする光ディスク記録再生装置。
【請求項２】
ロック状態になると判定されたとき、ディスクの回転数を検出し、その回転数が所定回転数のとき、第１記録用ディスクであると判定するようにしたことを特徴とする請求項１に記載の光ディスク記録再生装置。
【請求項３】
バンドパスフィルター回路にて第１記録用ディスクのウォブル信号が抽出されないとき、該バンドパスフィルター回路のフィルター特性を第２記録用ディスクのウォブル信号を抽出する特性に変更し、前記バンドパスフィルター回路にて抽出されたウォブル信号の周波数が第２記録用ディスクの周波数であるとき、ウォブル信号より得られる同期用信号を利用して該ディスクを第２記録用ディスクとして線速度一定になるように回転駆動制御し、その回転駆動動作がロック状態になるか否かを判定することにより第２記録用ディスクか否かの判定を行うようにしたことを特徴とする請求項１に記載の光ディスク記録再生装置。
【請求項４】
ロック状態になると判定されたとき、ディスクの回転数を検出し、その回転数が所定回転数のとき、第２記録用ディスクであると判定するようにしたことを特徴とする請求項３に記載の光ディスク記録再生装置。
【請求項５】
バンドパスフィルター回路にて第２記録用ディスクのウォブル信号が抽出されないとき、再生用ディスクであると判定するようにしたことを特徴とする請求項３に記載の光ディスク記録再生装置。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
光ディスク記録再生装置では、光学式ピックアップより照射されるレーザー光をディスク上のトラックに合焦させるフォーカシング制御動作と該トラックに追従させるトラッキング制御動作を行うように構成されている。フォーカシング制御動作及びトラッキング制御動作は、各々フォーカスサーボ回路及びトラッキングサーボ回路にて行われるが、斯かるサーボ動作は光学式ピックアップに組み込まれている光検出器から得られる信号を利用して生成されるフォーカスエラー信号及びトラッキングエラー信号を利用して行うように構成されている。
【０００４】
光ディスク記録再生装置におけるトラッキング制御動作を行う方式としては、種々あるが、一般には、光学式ピックアップに組み込まれている４分割光検出器を構成する検出素子の組み合わせを選択して得られるトラッキングエラー信号を使用し、記録用ディスクの場合に使用されるプッシュプル方式と再生専用ディスクの場合に使用される位相差方式が行われている(例えば、特許文献１参照。)。
【０００５】
また、光ディスク記録再生装置におけるディスクの回転速度制御動作は、一般的には線速度が一定になるように行われる。線速度を一定にするための制御動作は、ディスクを回転駆動するスピンドルモーターをスピンドルサーボにより制御することによって行われている。そして、斯かるスピンドルサーボ動作は、ディスクから読み出される同期用信号を利用したＰＬＬ回路によって行われ、ＰＬＬ回路をロック状態にするように制御することにより線速度が一定になるようにディスクを回転させる制御動作が行われるようにされている。
【０００６】
ディスクから読み出される同期用信号としては、ディスクが再生専用ディスクの場合には、ピットとして記録されているピット信号から抽出し、記録用ディスクの場合には、プリグルーブと呼ばれる蛇行した溝から得られるウォブル信号から抽出されるように構成されている。ピット信号を利用したスピンドル制御動作は、ピットサーボと呼ばれ、ウォブル信号を利用したスピンドル制御動作は、ウォブルサーボと呼ばれている。
【０００７】
また、ＤＶＤと呼ばれるディスクには、ピットにて信号が記録されている再生専用のディスクとプリグルーブが形成されている記録用ディスクとがあり、記録用ディスクとしては、＋と−の規格の異なる２種類のディスクがある。これらの規格の異なるディスクを使用することが出来る光ディスク記録再生装置では、ターンテーブル上に載置されているディスクの種類を判別する必要があり、斯かるディスクの判別をウォブル信号の周波数を検出することによって行う技術がある(例えば、特許文献２参照。)。
【特許文献１】特開平８−８７７６０号公報
【特許文献２】特開２００２−２３０７５３号公報
【発明の開示】
【発明が解決しようとする課題】
【０００８】
ディスクの種類をウォブル信号の周波数を検出することによって行う技術は、各周波数を選択するために各周波数に対応させてクロック抽出回路を設けているが、必ずしも所望の周波数のみを抽出することは出来ない。即ち、ディスクから再生されるＲＦ信号は、ディスクの回転特性等の変化によって種々な周波数の信号が得られるため、記録用ディスクの規格に合致した周波数の信号だけではなく、雑音信号が抽出されることになる。その結果、正確なディスクの判別動作が行えないという問題が発生している。
【０００９】
本発明は、斯かる問題を解決することが出来る光ディスク記録再生装置を提供しようとするものである。
【課題を解決するための手段】
【００１０】
本発明は、再生専用ディスク、プリグルーブが異なる規格にて設けられている第１記録用ディスク及び第２記録用ディスクを使用することが出来るとともに各ディスクの規格に応じたトラッキングサーボ動作及び各ディスクから再生される同期用信号を利用してディスクを規定の線速度にて回転駆動制御する制御回路を備えた光ディスク記録再生装置において、プリグルーブから得られる異なる周波数のウォブル信号を抽出するべくフィルター特性が変更可能なバンドパスフィルター回路を設け、該バンドパスフィルター回路のフィルター特性を第１記録用ディスクのウォブル信号を抽出する特性に設定し、前記バンドパスフィルター回路にて抽出されたウォブル信号の周波数が第１記録用ディスクの周波数であるとき、ウォブル信号より得られる同期用信号を利用して該ディスクを第１記録用ディスクとして線速度一定になるように回転駆動制御し、その回転駆動動作がロック状態になるか否かを判定することにより第１記録用ディスクか否かの判定を行うように構成されている。
【発明の効果】
【００１１】
本発明は、再生専用ディスク、プリグルーブが異なる規格にて設けられている第１記録用ディスク及び第２記録用ディスクを使用することが出来るとともに各ディスクの規格に応じたトラッキングサーボ動作及び各ディスクから再生される同期用信号を利用してディスクを規定の線速度にて回転駆動制御する制御回路を備えた光ディスク記録再生装置において、プリグルーブから得られる異なる周波数のウォブル信号を抽出するべくフィルター特性が変更可能なバンドパスフィルター回路を設け、該バンドパスフィルター回路のフィルター特性を第１記録用ディスクのウォブル信号を抽出する特性に設定し、前記バンドパスフィルター回路にて抽出されたウォブル信号の周波数が第１記録用ディスクの周波数であるとき、ウォブル信号より得られる同期用信号を利用して該ディスクを第１記録用ディスクとして線速度一定になるように回転駆動制御し、その回転駆動動作がロック状態になるか否かを判定することにより第１記録用ディスクか否かの判定を行うようにしたので、ウォブル信号の周波数のみによりディスクの判別動作を行う場合に比較して正確な判別動作を行うことが出来る。
【００１２】
また、本発明は、ロック状態になると判定されたとき、ディスクの回転数を検出し、その回転数が所定回転数のとき、第１記録用ディスクであると判定するようにしたので正確な判定動作を行うことが出来る。
【００１３】
また、本発明は、バンドパスフィルター回路にて第１記録用ディスクのウォブル信号が抽出されないとき、該バンドパスフィルター回路のフィルター特性を第２記録用ディスク
のウォブル信号を抽出する特性に変更し、前記バンドパスフィルター回路にて抽出されたウォブル信号の周波数が第２記録用ディスクの周波数であるとき、ウォブル信号より得られる同期用信号を利用して該ディスクを第２記録用ディスクとして線速度一定になるように回転駆動制御し、その回転駆動動作がロック状態になるか否かを判定することにより第２記録用ディスクか否かの判定を行うようにしたので、ウォブル信号の周波数のみによりディスクの判別動作を行う場合に比較して正確な判別動作を行うことが出来る。
【００１４】
更に、本発明は、ロック状態になると判定されたとき、ディスクの回転数を検出し、その回転数が所定回転数のとき、第２記録用ディスクであると判定するようにしたので、より正確なディスクの判定動作を行うことが出来る。
【発明を実施するための最良の形態】
【００１５】
本発明は、ウォブル信号の周波数だけでなくスピンドルモーターの回転速度制御動作を利用してディスクの種類を判別するようにしたものである。
【実施例１】
【００１６】
図１は本発明に係る光ディスク記録再生装置の一実施例を示す回路図である。同図において、１はスピンドルモーター２によって回転駆動されるディスクであり、再生用ディスクにはプリグルーブと呼ばれる溝は形成されていないが、記録用ディスクにはプリグルーブが蛇行して形成されている。即ち、記録用ディスクの場合には、プリグルーブより得られるウォブル信号から記録位置を示す位置情報データや同期用信号を抽出することが出来、この信号を利用して記録再生動作を行うように構成されている。また、本実施例に使用される第１記録用ディスクと第２記録用ディスクの形成されているプリグルーブより得られるウォブル信号の周波数は相違するようにされているが、例えばＤＶＤディスクの＋系の規格では８１７ＫＨｚ、−系の規格では１４０ＫＨｚに設定されている。
【００１７】
３はディスク１にレーザー光を照射させるレーザーダイオード４やディスク１の信号面から反射されるレーザー光を受ける光検出器５が組み込まれている光学式ピックアップであり、対物レンズ(図示せず)をディスク１の信号面方向に変位させることによってレーザー光を信号面に合焦させるフォーカス用コイル６及びレーザー光を信号トラックに追従させるべく対物レンズをトラック方向に変位させるトラッキング用コイル７が組み込まれているとともにピックアップ送り用モーター(図示せず)によってディスク１の径方向に移動せしめられるように構成されている。
【００１８】
８は前記光検出器５より得られる信号が入力されるとともに各種の信号を生成する光検出信号出力回路であり、前記光検出器５を構成する４分割光検出器から得られるフォーカスエラー信号を出力するフォーカスエラー信号出力端子Ｆ、トラッキングエラー信号を出力するトラッキングエラー信号出力端子Ｔ及びディスク１より読み出される信号、即ちピット信号やウォブル信号を出力する再生信号出力端子Ｐを備えている。
【００１９】
９はフォーカスサーボ回路であり、前記光検出信号出力回路８のフォーカスエラー信号出力端子Ｆから出力されるフォーカスエラー信号に基づく駆動信号を前記フォーカス用コイル６に供給することによりフォーカスサーボ動作を行うように構成されている。１０はトラッキングサーボ回路であり、前記光検出信号出力回路８のトラッキングエラー信号出力端子Ｔから出力されるトラッキングエラー信号に基づく駆動信号を前記トラッキング用コイル７に供給することによりトラッキングサーボ動作を行うように構成されている。
【００２０】
１１は前記光検出信号出力回路８の再生信号出力端子Ｐから出力される信号であるＲＦ信号が入力されるとともに該信号を増幅するＲＦ信号増幅回路であり、波形整形するとともに２値化した信号を出力するように構成されている。１２は前記ＲＦ信号増幅回路１１
によって２値化された信号が入力されるデジタル信号処理回路であり、各種信号の復調動作を行うように構成されている。
【００２１】
１３は前記デジタル信号処理回路１２にて復調された信号が入力されるとともにホスト機器(図示せず)から出力される命令信号に応じて各種の制御動作を行うシステム制御回路である。１４はホスト機器より出力される記録信号であるデータ信号をディスク１への記録動作を行うために適した信号にエンコード処理する記録信号生成回路である。
【００２２】
１５は前記システム制御回路１３によって動作が制御されるレーザー駆動回路であり、データ信号の記録動作を行う場合には前記記録信号生成回路１４にてエンコードされた記録信号が入力されるととも記録信号に対応した駆動信号をレーザーダイオード４に供給し、再生動作時には再生動作を行うための駆動信号をレーザーダイオード４に供給するように構成されている。
【００２３】
１６は前記システム制御回路１３によって動作が制御されるとともにＰＬＬ回路が組み込まれているスピンドルモーター駆動回路であり、ディスク１より得られる同期用信号を利用し、ＰＬＬ回路をロック状態になるように制御することによって前記スピンドルモーター２を線速度一定の状態にて回転駆動する信号を出力するように構成されている。１７は前記スピンドルモーター２の回転に伴って生成されるパルス信号が入力されるとともに入力されるパルス信号の数をカウントすることにより該スピンドルモーター２の回転数を検出する回転数検出回路であり、検出された信号を前記システム制御回路１３に出力するように構成されている。
【００２４】
１８は前記光検出信号出力回路８より生成されるウォブル信号が前記ＲＦ信号増幅回路１１を通して入力されるバンドパスフィルター回路であり、フィルター特性が前記システム制御回路１３の切換制御動作によって第１記録用ディスクに記録されているウォブル信号を抽出する特性と第２記録用ディスクに記録されているウォブル信号を抽出する特性とに変更されるように構成されている。１９は前記バンドパスフィルター回路１８により抽出された信号が入力されるとともに該信号を２値化する２値化回路であり、システム制御回路１３に２値化信号を出力するように構成されている。
【００２５】
斯かる構成において、光検出信号出力回路８に設けられているトラッキングエラー信号出力端子Ｔには、システム制御回路１３による光検出信号出力回路８に対する制御動作によって記録用ディスク使用時にはプッシュプル用トラッキングエラー信号が出力され、再生専用ディスク使用時には位相差用トラッキングエラー信号が出力されるように構成されている。また、システム制御回路１３の働きによってディスク１の種類が判別された場合には、各ディスク、即ち第１記録用ディスク、第２記録用ディスク及び再生専用ディスクの規格に合った信号処理動作をデジタル信号処理回路１２等が行う状態に設定されるように構成されている。
【００２６】
以上に説明したように本発明は構成されているが、次に動作について説明する。ディスク１を光ディスク記録再生装置に設けられているディスク装着部に装着させると、まずディスク１が第１記録用ディスクであると想定した設定動作が行われる。即ち、光検出信号出力回路８のトラッキングエラー信号出力端子Ｔには、プッシュプル用トラッキングエラー信号が出力される状態に切り換えられるとともにバンドパスフィルター回路１８のフィルター特性は、第１記録用ディスクに形成されているプリグルーブから得られるウォブル信号の周波数を抽出する特性に設定される。
【００２７】
前述した設定動作が行われると、光学式ピックアップ３をディスク１の内周側の所定の位置、例えばディスクに記録されている信号の位置を示すデータが記録されるリードイン
領域に移動させるとともにスピンドルモーター２を所定の回転数、即ち角速度一定の状態にて回転駆動する動作が行われる。斯かるスピンドルモーター２の角速度一定による回転駆動制御動作は、該スピンドルモーター２の回転に応じて出力されるパルス信号を利用することによって行われるが、斯かる動作は周知であるので説明は省略する。
【００２８】
斯かる状態において、レーザー駆動回路１５からレーザーダイオード４に対して再生用の駆動信号を供給するとともにフォーカス制御動作を行う。斯かるフォーカス制御動作は、光検出信号出力回路８に設けられているフォーカスエラー信号出力端子Ｆから出力されるエラー信号に基くフォーカスサーボ回路９のサーボ動作によって行われる。
【００２９】
斯かるフォーカス制御動作は、光検出信号出力回路８に設けられているフォーカスエラー信号出力端子Ｆから出力されるエラー信号に基くフォーカスサーボ回路９のサーボ動作によって行われるが、斯かるフォーカスサーボ動作は、周知のようにフォーカスサーボ回路９から光学式ピックアップ３に組み込まれているフォーカス用コイル６に駆動信号を供給し、対物レンズの位置を変位制御することによって行われる。斯かる動作は周知の技術を利用すれば良いので、その説明は省略する。
【００３０】
前述した動作によってレーザー光をディスク１の信号面に合焦させるフォーカス制御動作が行われるが、フォーカス制御動作が正常に行われると、光検出信号出力回路８に設けられているトラッキングエラー信号出力端子Ｔから出力されるプッシュプル用トラッキングエラー信号を利用してトラッキング制御動作が行われる。斯かるトラッキング制御動作は、光検出信号出力回路８に設けられているトラッキングエラー信号出力端子Ｔから出力されるプッシュプル用トラッキングエラー信号のレベルを下げる方向に光学式ピックアップ３に組み込まれているトラッキング用コイル７にトラッキングサーボ回路１０から駆動信号を供給し、対物レンズの位置を変位制御することによって行われる。
【００３１】
前述したトラッキング制御動作が行われると、レーザー光をディスク１上の信号トラックに追従させる動作が行われるので、ディスク１に記録されている信号やウォブル信号を読み取る動作が光学式ピックアップ３によって行われる。光学式ピックアップ３によって読み出された信号は、光検出信号出力回路８に設けられている再生信号出力端子Ｐから出力される。前記再生信号出力端子Ｐから出力される再生信号は、ＲＦ信号増幅回路１１に入力されて増幅されるとともに波形整形処理によって２値化されて出力される。前記ＲＦ信号増幅回路１１から出力される２値化信号はデジタル信号処理回路１２に入力され、該デジタル信号処理回路１２によるデジタル信号処理動作が行われる。
【００３２】
一方前記ＲＦ信号増幅回路１１を通して抽出されたウォブル信号はバンドパスフィルター回路１８に入力される。前記バンドパスフィルター回路１８を通過した信号は、２値化回路１９に入力されて２値化された後システム制御回路１３に入力される。システム制御回路１３は入力される信号の有無を検出することによってバンドパスフィルター回路１８を通過する信号かあるか否かを検出することが出来る。そして、前記バンドパスフィルター回路１８を通過する信号があると認識された場合には、前記バンドパスフィルター回路１８のフィルター特性が第１記録用ディスクより得られるウォブル信号を抽出する特性になるように設定されているためディスク１は第１記録用ディスクであると認識することが出来る。従って、この場合にはバンドパスフィルター回路１８のフィルター特性の変更を行うことなく次の処理を行うことになる。
【００３３】
前記２値化回路１９によって２値化された信号が無い場合には、前記バンドパスフィルター回路１８を通過する信号が無いので第１記録用ディスクではないと判定することが出来る。この場合には、システム制御回路１３による切換制御動作が行われ、前記バンドパスフィルター回路１８のフィルター特性を第２記録用ディスクに記録されているウォブル
信号を抽出する特性に変更する動作が行われる。
【００３４】
斯かるフィルター特性の変更動作が行われたバンドパスフィルター回路１８を通過した信号は、２値化回路１９に入力されて２値化された後システム制御回路１３に入力される。システム制御回路１３は入力される信号の有無を検出することによってバンドパスフィルター回路１８を通過する信号かあるか否かを検出することが出来る。そして、前記バンドパスフィルター回路１８を通過する信号があると認識された場合には、前記バンドパスフィルター回路１８のフィルター特性が第２記録用ディスクより得られるウォブル信号を抽出する特性になるように設定されているためディスク１は第２記録用ディスクであると認識することが出来る。従って、この場合にはバンドパスフィルター回路１８のフィルター特性の変更を行うことなく次の処理を行うことになる。
【００３５】
バンドパスフィルター回路１８のフィルター特性を第１記録用ディスクのウォブル信号を抽出するための特性や第２記録用ディスクのウォブル信号を抽出するための特性に設定したにも関わらずウォブル信号が抽出されなかった場合には、ディスク１は記録用ディスクではなく再生専用のディスクであると判定することが出来る。そして、この場合には、光検出信号出力回路８のトラッキングエラー信号出力端子Ｔに位相差用トラッキングエラー信号が出力されるように切換られるとともにデジタル信号処理回路１２による信号処理動作を再生専用ディスクに記録されている信号の再生動作を行うための状態にするための制御動作がシステム制御回路１３によって行われる。斯かる制御動作が行われる結果、ディスク１に記録されている信号の再生動作を支障なく行うことが出来る。
【００３６】
以上に説明したようにバンドパスフィルター回路１８によるウォブル信号の抽出動作に関する動作は行われるが、次に前述した動作によってディスク１が第１記録用ディスクであると判定された後の動作について説明する。
【００３７】
前述した検出処理動作が行われて、ディスク１が第１記録用ディスクであると判定されるとシステム制御回路１３に入力される信号の中から同期用信号の抽出動作が行われる。斯かる同期用信号の抽出動作が行われると、斯かる同期用信号がスピンドルモーター駆動回路１６に入力され、該スピンドルモーター駆動回路１６に組み込まれているＰＬＬ回路によるＰＬＬロック動作によってスピンドルモーター２を線速度一定にするための制御動作が行われる。
【００３８】
斯かる制御動作が行われると、前記スピンドルモーター駆動回路１６のＰＬＬロック動作が行われているか否かの判定動作が行われる。斯かる状態において、ＰＬＬ回路のロック動作が行われていると判定されると、該ディスク１は記録用ディスクであると判定することが出来る。しかしながら、前述したバンドパスフィルター回路１８によるウォブル信号の抽出動作が行われてもディスク１が第１記録用ディスクであるか第２記録用ディスクであるかは確定しない。即ち、２つの記録用ディスクより得られるウォブル信号の周波数は、規格上相違しているが、ウォブル信号から得られる同期用信号によるＰＬＬ動作が行われると、いずれのディスクであってもＰＬＬ回路がロックすることがあるためである。
【００３９】
従って、本発明では、スピンドルモーター駆動回路１６に組み込まれているＰＬＬ回路がＰＬＬロック状態にあるとき、回転数検出回路１７によるスピンドルモーター２の回転数の検出動作を行うように構成されている。前記回転数検出回路１７によるスピンドルモーター２の回転数の検出動作が行われると、その検出された回転数がシステム制御回路１３に入力される。
【００４０】
前記回転数検出回路１７によって検出された回転数がシステム制御回路１３に入力されると、該システム制御回路１３内に組み込まれているとともに各記録用ディスクに応じた
回転数のデータが記憶されているメモリー回路(図示せず)に記憶されているデータと比較する動作が行われる。この場合、システム制御回路１３による各種の制御動作は、ディスク１が第１記録用ディスクであると想定して設定されているため、回転数が第１記録用ディスクのデータとして設定されている回転数と合致するか否かの判定動作が行われる。
【００４１】
斯かる判定動作によって第１記録用ディスクのデータとして設定されている回転数と合致すると判定された場合には、ディスク１の種類は第１記録用ディスクであると判定されることになり、以後第１記録用ディスクとしての記録動作及び再生動作が行われることになる。
【００４２】
前述した判定動作によって回転数検出回路１７により検出された回転数が第１記録用ディスクのデータとして設定されている回転数と合致しなかった場合には、ディスク１は第１記録用ディスクではないと判定することが出来る。
【００４３】
また、バンドパスフィルター回路１８のフィルター特性を第２記録用ディスクのウォブル信号を抽出する特性に変更した後にウォブル信号が抽出された場合には、システム制御回路１３による各種の設定動作を第２記録用ディスクとして想定して切換設定した後、前述した動作を行うように構成されている。斯かる動作を行い、ＰＬＬ回路のＰＬＬロック状態が検出されたとき、スピンドルモーター２の回転速度を検出し、その回転速度がシステム制御回路１３内に組み込まれているメモリー回路に記憶されている第２記録用ディスクの回転数のデータと合致するか否かの判定動作が行われる。斯かる動作によって回転数が合致した場合にディスク１の種類は第２記録用ディスクであると判定されることになり、以後第２記録用ディスクとしての記録動作及び再生動作が行われることになる。
【００４４】
そして、前述した判定動作によって回転数検出回路１７により検出された回転数が第２記録用ディスクのデータとして設定されている回転数と合致しなかった場合には、ディスク１は第２記録用ディスクではないと判定することが出来る。
【００４５】
ディスク１を第１記録用ディスク又は第２記録用ディスクと想定し、スピンドルモーター駆動回路１６による線速度一定制御のためのＰＬＬ動作がロックする場合の動作は前述したように行われるが、ＰＬＬ動作がいずれの場合にもロックしない場合について説明する。ディスク１を第１記録用ディスク及び第２記録用ディスクと想定してもＰＬＬ動作がロックしない場合には、ディスク１は記録用ディスクではなく再生専用ディスクであると判定することが出来る。即ち、ウォブル信号から抽出される同期用信号を利用したスピンドルサーボ、即ちウォブルサーボ動作を行うことが出来ないので、ディスク１はウォブル信号が記録されていないディスク、即ち再生専用ディスクであると判定することが出来る。
【００４６】
そして、再生専用ディスクであると判定された場合には、システム制御回路１３による各種の設定を再生専用ディスクを使用する状態に変更する動作が行われる。このように変更する動作が行われる結果、ディスク１に記録されている信号を再生するための動作が行われる。
【００４７】
また、ＰＬＬ動作がロックしたにも関わらずロックした状態における回転数が所望のディスクの回転数と合致しなかった場合には、異なる記録用ディスクであると判定し、そのディスクの特性に合致した制御動作を行う状態に切り換えることも出来る。更に、この場合、ディスクの特性が不明と判断し、エラーとして処理することも出来る。
【図面の簡単な説明】
【００４８】
【図１】本発明に係る光ディスク記録再生装置の一実施例を示す回路図である。
【符号の説明】
【００４９】
１        ディスク
２        スピンドルモーター
３        光学式ピックアップ
４        レーザーダイオード
５        光検出器
８        光検出信号出力回路
９        フォーカスサーボ回路
１０        トラッキングサーボ回路
１１        ＲＦ信号増幅回路
１２        デジタル信号処理回路
１３        システム制御回路
１５        レーザー駆動回路
１６        スピンドルモーター駆動回路
１７        回転数検出回路
１８        バンドパスフィルター回路
１９        ２値化回路
【図１】
2005149672.tif 000003